(57)【要約】【課題】操作者が、空気調和機が有する機能についての目標値の設定変更内容と、当該設定変更が空気調和機の制御に悪影響を与えているか否かとを容易に把握可能とし、操作者による目標値の誤設定を防止する。【解決手段】制御装置６０は、空気調和機１０が有する機能の目標値が操作者によって設定される操作部６７と、操作部６７で設定された目標値に従って、空気調和機１０の機能に係る動作を制御する制御部６１と、操作部６７での目標値の設定時から予め定められた経過時間内に、当該目標値に従った上記機能に係る動作でのリトライ動作の回数を検知するリトライ回数検知部６２と、操作部６７に設定された目標値と、当該目標値の設定直前に設定されていた直前の目標値と、リトライ回数検知部６２によって検知されたリトライ動作の回数とを記憶する記憶部６６とを備える。【選択図】図１
2009204212.tif 000002
【特許請求の範囲】
【請求項１】
制御対象となる空気調和機(10)が有する機能の目標値が操作者によって設定される目標値設定部(67)と、
前記目標値設定部(67)に設定された目標値に従って、前記制御対象となる空気調和機(10)の前記機能に係る動作を制御する制御部(61)と、
前記目標値設定部(67)での前記目標値の設定時から予め定められた経過時間内に、当該目標値に従った前記機能に係る動作でのリトライ動作の回数を検知するリトライ回数検知部(62)と、
前記目標値設定部(67)に設定された目標値と、当該目標値の設定直前に設定されていた直前の目標値と、前記リトライ回数検知部(62)によって検知されたリトライ動作の回数とを記憶する記憶部(66)と
を備えた空気調和機の制御装置。
【請求項２】
前記リトライ回数検知部(62)は、過去に前記目標値設定部に設定された前記機能についての複数の目標値について、当該各目標値の設定時から予め定められた経過時間内に、当該各目標値に従った前記機能に係る動作でのリトライ動作の回数を検知する請求項１に記載の空気調和機の制御装置。
【請求項３】
前記目標値設定部(67)には、前記制御対象となる空気調和機(10)が有する複数の機能についての目標値が操作者によって設定され、
前記制御部(61)は、前記目標値設定部(67)に設定された各目標値に従って、当該各目標値に対応するそれぞれの機能に係る動作を制御し、
前記リトライ回数検知部(62)は、前記目標値設定部(67)に設定された各目標値に従った前記それぞれの機能に係る動作での各リトライ動作の回数を検知し、
前記記憶部(66)は、前記目標値設定部(67)に設定された各目標値と、当該各目標値の設定直前に設定されていたそれぞれの直前目標値と、前記リトライ回数検知部(62)によって検知された当該各目標値に対応するそれぞれの機能に係る動作でのリトライ動作の回数とを記憶する請求項１又は請求項２に記載の空気調和機の制御装置。
【請求項４】
前記リトライ回数検知部(62)によって検知されたリトライ動作の回数が、予め定められた回数に達したときに、前記直前の目標値から前記目標値設定部(67)に設定された目標値への設定変更がエラーであると判定する判定部(63)を更に備えた請求項１乃至請求項３のいずれかに記載の空気調和機の制御装置。
【請求項５】
操作者に対する警告を報知する報知部(64)を更に備え、
前記制御部(61)は、前記判定部(63)によってエラー判定がされた場合、前記記憶部(66)に記憶されている前記直前の目標値、前記目標値設定部(67)に設定された目標値、及び前記リトライ動作の回数を前記報知部(64)に報知させる請求項４に記載の空気調和機の制御装置。
【発明の詳細な説明】
【技術分野】
【０００１】
本発明は、空気調和装置の制御装置に関する。
【背景技術】
【０００２】
従来、空気調和装置として、下記特許文献１に示されるように、室内ユニットの運転を制御する室内制御ユニットと、室外ユニットの運転を制御する室外制御ユニットとの間で、冷暖房運転時や除霜運転時に運転制御信号を送受信するものが提案されている。このような空気調和装置では、例えば、圧縮機の駆動中に冷媒圧力が異常上昇した場合には、圧縮機を所定時間だけ強制的に停止し、その後、再起動（リトライ動作）するようになっている。
【特許文献１】特開平６−２７２９３１号公開公報
【発明の開示】
【発明が解決しようとする課題】
【０００３】
上記のような空気調和装置は様々な機能を有しており、その設置現場で操作者が当該空気調和装置の制御装置を操作して、例えば、圧縮機の低圧目標値の設定を変更する等、当該空気調和装置が有する機能の目標値を設定変更することも多い。このような設定変更操作は頻繁に行われ、また、当該設定変更操作を行う操作者は、必ずしも同一人物とは限らないため、後から設定変更操作を行う操作者は、前回の設定変更操作で変更された内容を把握することは困難である。また、当該変更された設定内容が、却って空気調和装置の制御に悪影響を与えることもあり得るが、各操作者が当該設定変更の適否を判断することは、多くの時間と工数が必要であり困難であるため、操作者は、上記目標値を誤った設定としてしまうおそれもある。
【０００４】
本発明は、上記の問題を解決するためになされたもので、操作者が、空気調和機が有する機能についての目標値の設定変更内容と、当該設定変更が空気調和機の制御に悪影響を与えているか否かとを容易に把握可能とし、操作者による目標値の誤設定を防止することを目的とする。
【課題を解決するための手段】
【０００５】
本発明の請求項１に記載の発明は、制御対象となる空気調和機が有する機能の目標値が操作者によって設定される目標値設定部と、
前記目標値設定部に設定された目標値に従って、前記制御対象となる空気調和機の前記機能に係る動作を制御する制御部と、
前記目標値設定部での前記目標値の設定時から予め定められた経過時間内に、当該目標値に従った前記機能に係る動作でのリトライ動作の回数を検知するリトライ回数検知部と、
前記目標値設定部に設定された目標値と、当該目標値の設定直前に設定されていた直前の目標値と、前記リトライ回数検知部によって検知されたリトライ動作の回数とを記憶する記憶部と
を備えた空気調和機の制御装置である。
【０００６】
この発明によれば、操作者によって目標値設定部に目標値が設定されると、リトライ回数検知部が、当該目標値の設定時から予め定められた経過時間内に、当該目標値に従った空気調和機の機能に係る動作でのリトライ動作の回数を検知し、記憶部が、目標値設定部に設定された目標値と、当該目標値の設定直前に設定されていた直前の目標値と、当該リトライ動作の回数とを記憶するので、当該目標値を設定変更した操作者とは別の操作者が、後に別のタイミングで当該目標値の設定変更操作を行うときであっても、当該別の操作者は、当該目標値が前回の設定値からどのように変更されたかを容易に把握できる。また、一定期間内にリトライ回数が多いほど、目標値の設定変更が空気調和機の制御に悪影響を与えている可能性が高いことに鑑み、上記別の操作者は、記憶部に記憶されているリトライ回数に基づいて、既に行われた設定変更が空気調和機の制御に悪影響を与えているか否かを容易に把握できる。これにより、目標値の設定変更時に、操作者が誤った目標値を設定してしまうことを防止することが可能となる。
【０００７】
また、請求項２に記載の発明は、請求項１に記載の空気調和機の制御装置であって、前記リトライ回数検知部は、過去に前記目標値設定部に設定された前記機能についての複数の目標値について、当該各目標値の設定時から予め定められた経過時間内に、当該各目標値に従った前記機能に係る動作でのリトライ動作の回数を検知するものである。
【０００８】
この発明によれば、リトライ回数検知部が、過去に設定された複数の目標値について、当該各目標値の設定変更で生じたそれぞれのリトライ動作の回数を検知し、当該各目標値についてのそれぞれのリトライ回数が記憶部に記憶されるので、操作者は、過去に行われた複数の設定変更のそれぞれについて、各設定変更が空気調和機の制御に悪影響を与えたか否かを把握することができる。
【０００９】
また、請求項３に記載の発明は、請求項１又は請求項２に記載の空気調和機の制御装置であって、前記目標値設定部には、前記制御対象となる空気調和機が有する複数の機能についての目標値が操作者によって設定され、
前記制御部は、前記目標値設定部に設定された各目標値に従って、当該各目標値に対応するそれぞれの機能に係る動作を制御し、
前記リトライ回数検知部は、前記目標値設定部に設定された各目標値に従った前記それぞれの機能に係る動作での各リトライ動作の回数を検知し、
前記記憶部は、前記目標値設定部に設定された各目標値と、当該各目標値の設定直前に設定されていたそれぞれの直前目標値と、前記リトライ回数検知部によって検知された当該各目標値に対応するそれぞれの機能に係る動作でのリトライ動作の回数とを記憶するものである。
【００１０】
この発明によれば、リトライ回数検知部が、複数の機能について目標値の設定変更により生じたそれぞれのリトライ動作の回数を検知し、当該各機能別の目標値設定変更で生じたそれぞれのリトライ回数が記憶部に記憶されるので、操作者は、複数の機能についてされたそれぞれの設定変更について、空気調和機の制御に悪影響を与えたか否かを把握することができる。
【００１１】
また、請求項４に記載の発明は、請求項１乃至請求項３のいずれかに記載の空気調和機の制御装置であって、前記リトライ回数検知部によって検知されたリトライ動作の回数が、予め定められた回数に達したときに、前記直前の目標値から前記目標値設定部に設定された目標値への設定変更がエラーであると判定する判定部を更に備えたものである。
【００１２】
この発明によれば、判定部が、目標値の設定時から予め定められた経過時間内におけるリトライ動作の回数が、予め定められた回数に達したときに、目標値の設定変更がエラーであると判定するので、当該エラー判定に基づいて、操作者は、目標値の設定変更が、空気調和機の制御に悪影響を与えたことを容易に把握できる。
【００１３】
また、請求項５に記載の発明は、請求項４に記載の空気調和機の制御装置であって、操作者に対する警告を報知する報知部を更に備え、
前記制御部は、前記判定部によってエラー判定がされた場合、前記記憶部に記憶されている前記直前の目標値、前記目標値設定部に設定された目標値、及び前記リトライ動作の回数を前記報知部に報知させるものである。
【００１４】
この発明によれば、制御部は、判定部によるエラー判定がされた場合、記憶部に記憶されている前記直前の目標値、前記目標値設定部に設定された目標値、及び前記リトライ動作の回数を報知部に報知させるので、目標値の設定変更が空気調和機の制御に悪影響を及ぼしている場合において、操作者は、当該悪影響の要因となった要素（直前まで設定されていた目標値と、設定変更後の目標値と、リトライ動作の回数）を、上記報知により簡単に把握することができる。
【発明の効果】
【００１５】
本願発明によれば、空気調和機が有する機能についての目標値を過去に設定変更した操作者とは異なる操作者が、後に当該目標値の設定変更操作を行うときであっても、当該別の操作者は、当該目標値が前回の設定値からどのように変更されたかを容易に把握できる。また、当該別の操作者は、記憶部に記憶されているリトライ回数に基づいて、既に行われた設定変更が、空気調和機の制御に悪影響を与えているか否かを容易に把握できる。これにより、目標値の設定変更時に、操作者が誤った目標値を設定してしまうことを防止可能となる。
【発明を実施するための最良の形態】
【００１６】
以下、本発明の一実施形態に係る空気調和機の制御装置について図面を参照して説明する。図１は本発明の一実施形態に係る制御装置を備える空気調和装置の冷媒回路の概略図である。図２は、本発明の一実施形態に係る制御装置の概略構成図である。
【００１７】
空気調和機１０は、室外ユニット２０と室内ユニット３０とが接続されたいわゆるセパレートタイプである。室外ユニット２０は、圧縮機２１と、四路切換弁２２と、室外熱交換器２３と、補助熱交換器２４と、膨張回路２５とを備えて構成されている。室内ユニット３０は、室内熱交換器３１を備えて構成されている。
【００１８】
圧縮機２１と、四路切換弁２２と、室外熱交換器２３と、補助熱交換器２４と、膨張回路２５と、室内熱交換器３１とが冷媒が循環可能に順に接続され、冷媒回路１１が構成されている。
【００１９】
室外ユニット２０と室内ユニット３０は、液側配管１２及びガス側配管１３により接続されている。液側配管１２は膨張回路２５と室内熱交換器３１とを接続している。ガス側配管１３は、四路切換弁２２と室内熱交換器３１とを接続している。
【００２０】
圧縮機２１は、インバータにより容量可変に調節されるスクロールタイプに構成されている。この圧縮機２１の吐出側には吐出管２６が接続され、吸入側には吸入管２７が接続されている。吐出管２６には、圧縮機２１の運転音を低減するためのマフラ２８が接続されている。吸入管２７には、冷媒中の塵埃を除去するフィルタ２９が設置されている。
【００２１】
四路切換弁２２は、圧縮機２１の吐出側と室外熱交換器２３とが連通し、かつ圧縮機２１の吸入側と室内熱交換器３１とが連通する状態（図１に実線で示す状態）と、圧縮機２１の吐出側と室内熱交換器３１とが連通し且つ圧縮機２１の吸入側と室外熱交換器２３とが連通する状態（図１に破線で示す状態）とに切り換わるように構成されている。この四路切換弁２２を切り換えることによって、冷媒回路１１における冷媒の循環方向が切り換わる。
【００２２】
室外熱交換器２３及び補助熱交換器２４は、いわゆるクロスフィン形の熱交換器として構成され、室外空気と冷媒とを熱交換させる。
【００２３】
膨張回路２５は、冷媒を減圧するように構成されている。この膨張回路２５は、ブリッジ回路で構成される方向制御回路４１と、この方向制御回路４１に接続される一方向通路４２により構成されている。方向制御回路４１は、冷房運転時には室外熱交換器２３からの冷媒を一方向通路４２に案内し、暖房運転時には室内熱交換器３１からの冷媒を一方向通路４２に案内するように構成されている。
【００２４】
一方向通路４２には、上流側に位置して冷媒を貯留しながら冷媒を流出させるレシーバ４３と、その下流側に位置する開度調整可能な電子膨張弁４４とが直列に配置されている。従って、レシーバ４３には、冷媒の循環方向に拘わらず常に液冷媒が流入する。なお、レシーバ４３と電子膨張弁４４との間には、冷媒中の塵埃を除去するフィルタ４５が設置されている。
【００２５】
一方向通路４２は、フィルタ４５と電子膨張弁４４との間において、圧縮機２１の停止時における液封を防止する液封防止通路４６を介して、圧縮機２１の吐出管２６に接続されている。この液封防止通路４６には、上記一方向通路４２から吐出管２６への冷媒の流通を許容する逆止弁４７が設置されている。
【００２６】
方向制御回路４１は、第１流入路４８と、第１流出路４９と、第２流入路５０と、第２流出路５１とがブリッジ状に接続されて構成されている。各流入路及び各流出路には、それぞれ逆止弁（ＣＶ）が設けられている。
【００２７】
第１流入路４８は、室外熱交換器２３が接続される第１接続点５２から、１方向通路の上流端が接続される第２接続点５３に向かう冷媒流れを形成している。また、第１流出路４９は、一方向通路４２の下流端が接続される第３接続点５４から、室内熱交換器３１が接続される第４接続点５５に向かう冷媒流れを形成している。
【００２８】
第２流入路５０は、第４接続点５５から第２接続点５３に向かう冷媒流れを形成している。また、第２流出路５１は、第３接続点５４から第１接続点５２に向かう冷媒流れを形成している。
【００２９】
レシーバ４３の上部と、常時低圧液配管となる一方向通路４２における電子膨張弁４４より下流側との間にはバイパス通路５６が接続されている。該バイパス通路５６には電磁弁５７が設置されており、レシーバ４３内のガス冷媒を抜くことができるように構成されている。
【００３０】
尚、この電磁弁５７及び電子膨張弁４４が運転停止時に閉鎖した状態となっても、上記液封防止通路４６が、周囲温度の上昇などによりレシーバ４３内の液冷媒が膨張しても、この冷媒を一方向通路４２から熱交換器２３，３１側に流す役目を果たす。
【００３１】
液側配管１２及びガス側配管１３には、それぞれ閉鎖弁１４，１５が設置されている。この各閉鎖弁１４，１５は、室外ユニット２０及び室内ユニット３０が据え付けられるときに、業者（メンテナンス者）により開放される。
【００３２】
圧縮機２１の吐出管２６には、当該圧縮機２１の吐出管温度を検出する吐出管温度センサ（Ｔｄ）が設置されている。また、室外ユニット２０の空気吸込口には、室外空気温度を検出する外気温センサ（Ｔｏ）が配置され、室外熱交換器２３には、冷房運転時には凝縮温度となり、暖房運転時には蒸発温度となる外熱交温度を検出する外熱交温度センサ（Ｔｃ）が配置されている。さらに、室内ユニット３０の空気吸込口には、室内空気温度を検出する室温センサ（Ｔｒ）が配置され、室内熱交換器３１には、冷房運転時には蒸発温度となり、暖房運転時には凝縮温度となる内熱交温度を検出する内熱交温度センサ（Ｔｅ）が配置されている。
【００３３】
圧縮機２１の吐出管２６には、高圧冷媒圧力を検出して、該高圧冷媒圧力の過上昇によりオンとなって高圧保護信号を出力する高圧保護圧力スイッチ（ＨＳ１）と、上記高圧冷媒圧力を検出して高圧制御信号を出力する高圧制御圧力センサ（ＨＳ２）とが配置されている。また、圧縮機２１の吸入管２７には、低圧冷媒圧力を検出して、該低圧冷媒圧力の過低下によりオンとなって低圧保護信号を出力する低圧保護圧力スイッチ（ＬＳ）が配置されている。上記高圧保護圧力スイッチ（ＨＳ１）及び低圧保護圧力スイッチ（ＬＳ）が圧力検出手段（ＨＳ１，ＬＳ）を構成している。各温度センサ（Ｔｄ、Ｔｏ、Ｔｃ、Ｔｒ、Ｔｅ）、高圧保護圧力スイッチ（ＨＳ１）、高圧制御圧力センサ（ＨＳ２）、及び低圧保護圧力スイッチ（ＬＳ）の出力信号は、制御装置６０に入力される。
【００３４】
次に、冷媒循環動作について説明する。冷房運転時には、四路切換弁２２が図中の実線で示す接続に切り換わる。圧縮機２１から吐出された冷媒が四路切換弁２２を通過して、室外熱交換器２３及び補助熱交換器２４に流入する。室外熱交換器２３及び補助熱交換器２４において、冷媒が室外空気と熱交換して凝縮する。この凝縮した冷媒が第１流入路４８を通過してレシーバ４３に一旦貯溜される。そして、冷媒がレシーバ４３から流出し、一方向通路４２を流通して電子膨張弁４４により減圧される。その後、第１流出路４９を経て液側配管１２に設置される閉鎖弁１４を通過し、室内熱交換器３１に流入する。そして、室内熱交換器３１において冷媒が室内空気を冷却すると共に蒸発する。この蒸発した冷媒がガス側配管１３に設置される閉鎖弁１５を通過し、室外ユニット２０に流入する。室外ユニット２０に流入した冷媒が圧縮機２１に吸入される。
【００３５】
暖房運転時には、四路切換弁２２が図中の破線で示す接続に切り換わる。圧縮機２１から吐出された冷媒が四路切換弁２２を通過した後、ガス側配管１３に設置される閉鎖弁１５を通過し、室内熱交換器３１に流入する。室内熱交換器３１において、冷媒が室内空気を暖房して凝縮する。この凝縮した冷媒が液側配管１２に設置される閉鎖弁１４を通過し、室外ユニット２０に流入する。室外ユニット２０に流入した冷媒が第２流入路５０を通過してレシーバ４３に一旦貯溜される。そして、冷媒がレシーバ４３から流出し、一方向通路４２を流出して電子膨張弁４４により減圧される。その後、第２流出路５１を経て補助熱交換器２４及び室外熱交換器２３に流入する。補助熱交換器２４及び室外熱交換器２３において、冷媒が室外空気と熱交換して蒸発し、圧縮機２１に吸入される。
【００３６】
図２に示すように、制御装置６０は、制御部６１と、リトライ回数検知部６２と、判定部６３と、報知部６４と、記憶部６６と、操作部６７とを備えている。なお、制御装置６０は、空気調和機１０の一部として空気調和機１０に内蔵されていてもよいし、空気調和機１０とは別個に設けられて空気調和機１０に接続されていてもよい。
【００３７】
制御部６１は、圧縮機２１のインバータの運転周波数を所定の周波数ステップに区分し、室内温度が設定温度に収束するように周波数ステップを制御する。また、制御部６１は、外熱交温度センサ（Ｔｃ）及び内熱交温度センサ（Ｔｅ）が検出する凝縮温度や蒸発温度から最適な冷凍効果を与える吐出管温度の最適値を算出し、該吐出管温度がその最適値になるように弁開度を算出して電子膨張弁４４の開度を制御する。すなわち、制御部６１は、操作部６７で操作者によって設定された圧縮機２１の圧力目標値等に従って、制御部６１が制御対象とする空気調和機１０の有する各機能に係る動作を制御する。
【００３８】
制御部６１は、例えば、冷媒の圧力が所定範囲外になると圧縮機２１を停止させる。具体的には、制御部６１は、圧力検出手段（ＨＳ１，ＬＳ）である高圧保護圧力スイッチ（ＨＳ１）の検出値が目標値を上回ると、圧縮機２１の作動を停止させる。また、制御部６１は、圧力検出手段（ＨＳ１，ＬＳ）である低圧保護圧力スイッチ（ＬＳ）の検出値が目標値を下回ると、圧縮機２１の作動を停止させる。制御部６１は、圧力スイッチ（ＨＳ１、ＬＳ）の検出値が目標値の示す所定範囲内に戻ったときに、圧縮機２１を再起動する（すなわち、リトライ動作を行わせる）。具体的には、冷媒の圧力が上記所定範囲外になり、制御部６１により圧縮機２１が停止されると、冷媒回路１１内の冷媒圧力が均圧され、高圧保護圧力スイッチ（ＨＳ１）又は低圧保護圧力スイッチ（ＬＳ）の検出値も低下又は上昇する。そして、当該検出値が、上記目標値の示す範囲内になると、制御部６１が圧縮機２１を再起動（リトライ動作）させる。すなわち、制御部６１は、リトライ動作の制御を司る。
【００３９】
判定部６３は、リトライ回数検知部６２によって検知されたリトライ動作の回数が、予め定められた回数に達した場合に、操作部６７で従前に（直前に）設定されていた目標値から現状で設定されている目標値への設定変更がエラーであると判定する。すなわち、判定部６３は、空気調和機１０が有する各機能に係る動作であって、操作部６７によって設定された目標値を基準として制御される動作が、エラーであるか否かの判定を行う。
【００４０】
報知部６４は、例えば、ＬＣＤ（Liquid Crystal Display）又はアラーム等からなる。報知部６４は、判定部６３によって上記エラー判定がされたとき等に、上記設定変更がエラーである旨、記憶部６６に記憶されている(1)従前の（直前の）目標値、(2)操作部６７で設定された現状の目標値、及び(3)リトライ動作の回数を、表示又は音声で報知する。
【００４１】
リトライ回数検知部６２は、操作部６７で上記目標値が設定された時点から予め定められた経過時間内に、当該設定された目標値で制御される機能に係る動作でのリトライ動作の回数を検知する。
【００４２】
また、リトライ回数検知部６２は、空気調和機１０が有する複数の機能について、操作部６７で設定された目標値に従った当該各機能の動作別に、それぞれのリトライ動作の回数を検知する。
【００４３】
さらに、リトライ回数検知部６２は、空気調和機１０が有するそれぞれの機能について、当該機能の目標値として過去に設定された複数の目標値について、各目標値毎に、それぞれの設定時から予め定められた経過時間内に、当該各目標値を基準として行われたリトライ動作の回数を検知する。
【００４４】
記憶部６６は、操作部６７で設定された現状の目標値と、当該現状の目標値の設定直前に設定されていた目標値と、リトライ回数検知部６２によって検知されたリトライ動作の回数とを記憶する。また、記憶部６６は、過去に設定された全ての目標値（予め定められた回数分の目標値でもよい）についてのリトライ動作回数を記憶する。
【００４５】
また、本実施形態では、記憶部６６は、空気調和機１０が有する各機能について操作部３７で設定されたそれぞれの現状の目標値と、当該現状の各目標値の設定直前に設定されていたそれぞれの直前目標値と、当該各機能についての現状の目標値に対応した動作におけるリトライ回数検知部６２で検知されたリトライ動作回数とを記憶する。
【００４６】
操作部６７は、制御装置６０の制御対象となる空気調和機１０が有する各機能についての操作指示を操作者から受け付ける。操作部６７は、上述したように、冷房時の目標蒸発温度（上記Te設定）、暖房時の目標凝縮温度（上記Tc設定）、圧縮機２１の圧力目標値等、制御部６１が空気調和機１０の各機能の動作制御に用いる目標値の設定を操作者から受け付ける。操作部６７は、例えば、複数の押しボタンスイッチを備え、各押しボタンスイッチ押下の組合せで設定項目を切り換えるようになっている。
【００４７】
次に、空気調和機１０の制御装置６０による上記目標値及びリトライ動作の記憶制御の第１実施形態について説明する。図３は、空気調和機１０の制御装置６０による上記目標値及びリトライ動作の記憶制御の第１実施形態を示すフローチャートである。
【００４８】
空気調和機１０の運転中、制御部６１は、操作者による操作部６７の操作で空気調和機１０のいずれかの機能の目標値が変更されたか否かを判断している（Ｓ１）。ここで、空気調和機１０のいずれかの機能の目標値、例えば、圧縮機２１の低圧目標値が変更されたと制御部６１が判断した場合（Ｓ１でＹＥＳ）、制御部６１は、当該設定変更される直前の目標値を記憶部６６に記憶させると共に（Ｓ２）、設定変更後の現状の目標値を記憶部６６に記憶させる。
【００４９】
制御部６１は、上記現状の目標値が設定されると、その時点から、当該目標値に従った空気調和機１０の動作制御を開始する（Ｓ４）。リトライ回数検知部６２は、当該現状の目標値が設定された時点から、内蔵するタイマにより、予め定められた経過時間（例えば、12時間等）の計測を開始する（Ｓ５）。
【００５０】
例えば、操作者による操作部６７の操作で、圧縮機２１の低圧目標値が設定変更された場合、制御部６１は、冷媒圧力が、当該目標値の示す圧力値の範囲内にあるかどうかを判定する。更に具体的な例としては、制御部６１は、冷房運転時において、低圧保護圧力スイッチ（ＬＳ）の検出値が目標値以上であるときは、恒常的異常がないものと判断して圧縮機２１の動作を継続させるが、上記検出値が目標値を下回ったときは、圧縮機２１の動作を停止させる。そして、時間経過により冷媒圧力が均圧化し、上記検出値が目標値の示す圧力値の範囲内に戻ったときに、制御部６１は、圧縮機２１を再起動（リトライ動作）させる。
【００５１】
このとき、リトライ回数検知部６２は、上記予め定められた経過時間の計測開始後、制御部６１によってリトライ動作が行われたか否かを監視し（Ｓ６）、リトライ動作があった場合には、内蔵するカウンタをカウントアップして（Ｓ７）、上記予め定められた経過時間が経過するまで（Ｓ８）、リトライ動作の回数を計測する。上記予め定められた経過時間が経過すると（Ｓ８でＹＥＳ）、リトライ回数検知部６２は、計測したリトライ動作の回数を記憶部６６に記憶させる（Ｓ９）。
【００５２】
上記Ｓ１乃至Ｓ９の処理は、空気調和機１０が有する複数の機能について、各機能について設定された目標値に対して行われ、リトライ回数検知部６２は、空気調和機１０が有する複数の機能について、操作部６７で設定された目標値に従った当該各機能の動作別に、それぞれのリトライ動作の回数を検知する。
【００５３】
Ｓ９の処理後、処理はＳ１に戻ってＳ２以降の処理が繰り返される。そして、リトライ回数検知部６２は、空気調和機１０が有するそれぞれの機能において、当該機能の目標値として過去に設定された複数の目標値について、各目標値毎に、それぞれの設定時から予め定められた経過時間内に発生したリトライ動作の回数を検知する。
【００５４】
なお、記憶部６６に記憶されている上記変更直前の目標値、設定変更後の現状の目標値、リトライ動作の回数は、操作者による操作で操作部６７に受け付けられる指示に応じて、制御部６１が記憶部６６から読み出し、報知部６４に表示又は報知させる等により、操作者による認識が可能とされる。
【００５５】
これにより、空気調和機１０の機能についての上記目標値を過去に設定変更した操作者とは異なる操作者が、後に当該目標値の設定変更操作を行うときであっても、当該別の操作者は、当該目標値が前回の設定値からどのように変更されたかを容易に把握できる。また、当該別の操作者は、記憶部６６に記憶されているリトライ回数に基づいて、既に行われた設定変更が、空気調和機１０の制御に悪影響を与えているか否かを容易に把握できるので、操作者が、目標値の変更時に、リトライ動作回数が多くなる誤った目標値に設定してしまうことを抑制できる。
【００５６】
次に、空気調和機１０の制御装置６０による上記目標値及びリトライ動作の記憶制御の第２実施形態について説明する。図４は、空気調和機１０の制御装置６０による上記目標値及びリトライ動作の記憶制御の第２実施形態を示すフローチャートである。なお、第１実施形態と同様の処理は説明を省略する。
【００５７】
第２実施形態では、上記予め定められた経過時間内における上記各機能別のリトライ動作回数を、リトライ回数検知部６２が記憶部６６に記憶させると（Ｓ１９）、判定部６３は、リトライ回数検知部６２によって検知されたリトライ動作の回数が、予め定められた回数に達しているか否かをそれぞれの機能毎に判定し（Ｓ２０）、リトライ動作の回数が、予め定められた回数に達している機能がある場合には（Ｓ２０でＹＥＳ）、操作部６７で従前に（直前に）設定されていた目標値から現状の目標値への設定変更が、当該機能についてはエラーであると判定する（Ｓ２１）。判定部６３によって当該エラー判定が行われると（Ｓ２０でＹＥＳ，Ｓ２１）、制御部６１は、当該エラー判定がなされた機能についての変更直前の目標値、設定変更後の現状の目標値、及びリトライ動作の回数を記憶部６６から読み出し、これら各値を、エラー発生のメッセージと共に、報知部６４に表示又は報知させる（Ｓ２２）。
【００５８】
これにより、操作者は、目標値の設定を変更したことが空気調和機の制御に悪影響を与えていることと、空気調和機の制御に悪影響を与えている要素（直前まで設定されていた目標値と、設定変更後の目標値と、リトライ動作の回数）とを、上記報知により簡単に把握することができる。
【００５９】
なお、本発明は上記実施の形態の構成に限られず種々の変形が可能である。例えば、上記実施形態では、制御装置６０を空気調和機１０に適用した例を示したが、制御装置６０は空気調和機１０以外の機器にも広く適用可能であり、すなわち、上記空気調和機は、冷凍機等の他の機器をも含む概念である。
【００６０】
また、上記図１乃至図４に示した構成及び処理は、あくまでも本発明の一実施形態に過ぎず、本発明を上記実施形態に限定する趣旨ではない。
【図面の簡単な説明】
【００６１】
【図１】本発明の一実施形態に係る制御装置を備える空気調和装置の冷媒回路の概略図である。
【図２】本発明の一実施形態に係る制御装置の概略構成図である。
【図３】空気調和機の制御装置による上記目標値及びリトライ動作の記憶制御の第１実施形態を示すフローチャートである。
【図４】空気調和機の制御装置による上記目標値及びリトライ動作の記憶制御の第２実施形態を示すフローチャートである。
【符号の説明】
【００６２】
１０    空気調和機
２１    圧縮機
６０    制御装置
６１    制御部
６２    リトライ回数検知部
６３    判定部
６４    報知部
６５    リトライ制御部
６６    記憶部
６７    操作部
【図１】
2009204212.tif 000003
【図２】
2009204212.tif 000004
【図３】
2009204212.tif 000005
【図４】
2009204212.tif 000006